(57)【要約】【課題】第１筐体を回転可能に第２筐体に連結し、装置の厚さを増加させることなく、円滑に第１筐体を回転させることができる筐体連結機構を得る。【解決手段】接続部材によって第１筐体に固定される平板状の第１部材と、第２筐体に固定される平板状の第２部材とを含む筐体回転機構を備え、筐体回転機構は、第１筐体における第２筐体に対向する面である裏面の側であって、かつ、第２筐体における第１筐体に対向する面である表面の側に配置され、接続部材は、力を受けると、第２部材の裏面側で移動するように配置され、筐体回転機構は、第２筐体の縦断面に対して所定角度傾いて取り付けられている。第１筐体における裏面は、第２筐体に向かって膨らむように湾曲して形成され、第２筐体における表面は、第１筐体に対して凹むように湾曲して形成され、第１筐体における裏面の湾曲の形状と、第２筐体における表面の湾曲の形状とは同じである。【選択図】図７
2010216622.tif 000002
【特許請求の範囲】
【請求項１】
第１筐体を回転可能に第２筐体に連結する筐体連結機構であって、
接続部材によって前記第１筐体に固定される平板状の第１部材と、前記第２筐体に固定される平板状の第２部材とを含む筐体回転機構を備え、
前記筐体回転機構は、前記第１筐体における前記第２筐体に対向する面である裏面の側であって、かつ、前記第２筐体における前記第１筐体に対向する面である表面の側に配置され、
前記接続部材は、力を受けると、前記第２部材の裏面側で移動するように配置され、
前記筐体回転機構は、前記第２筐体の縦断面に対して所定角度傾いて取り付けられている
ことを特徴とする筐体連結機構。
【請求項２】
前記第２部材を支持するために前記第２筐体における表面に設けられた凹部を含み、
前記凹部の内部における前記第２部材を支える部位の表面が、前記第２筐体の縦断面に対して所定角度傾いて形成されている
請求項１記載の筐体連結機構。
【請求項３】
前記第２部材における２つの端部のそれぞれに回転軸部材が設けられ、
前記第１部材における２つの端部のそれぞれに、前記回転軸部材に係合可能な鉤部が設けられ、
前記第１部材が第１位置に位置するときには、前記第１部材における一方の鉤部が前記第２部材における前記回転軸部材の一方に係合するとともに、前記第１部材における他方の鉤部は前記回転軸部材に係合せず、
前記第１部材が第２位置に位置するときには、前記第１部材における一方の鉤部が前記第２部材における前記回転軸部材の一方に係合するとともに、前記第１部材における他方の鉤部が前記第２部材における前記回転軸部材の他方に係合し、
前記第１部材が第３位置に位置するときには、前記第１部材における他方の鉤部が前記第２部材における前記回転軸部材の他方に係合するとともに、前記第１部材における一方の鉤部は前記回転軸部材に係合せず、
前記第１位置に位置しているときの前記第１部材と、前記第２位置に位置しているときの前記第１部材とがなす角度が９０゜になり、前記第１位置に位置しているときの前記第１部材と、前記第３位置に位置しているときの前記第１部材とがなす角度が１８０゜になるように、前記回転軸部材が配置されている
請求項１または請求項２記載の筐体連結機構。
【請求項４】
第１筐体と、第２筐体と、第１筐体を回転可能に第２筐体に連結する筐体連結機構とを備えた携帯端末装置であって、
前記第１筐体における前記第２筐体に対向する面の反対側の面である表面に表示部が設けられ、
前記筐体連結機構は、接続部材によって前記第１筐体に固定される平板状の第１部材と、前記第２筐体に固定される平板状の第２部材とを有する筐体回転機構を含み、
前記筐体回転機構は、前記第１筐体における前記第２筐体に対向する面である裏面側であって、かつ、前記第２筐体における前記第１筐体に対向する面である表面側に配置され、
前記接続部材は、力を受けると、前記第２部材の裏面側で移動するように配置され、
前記筐体回転機構は、前記第２筐体の縦断面に対して所定角度傾いて取り付けられている
ことを特徴とする携帯端末装置。
【請求項５】
前記筐体回転機構は、上端が前記第１筐体の側に倒れ込むように取り付けられている
請求項４記載の携帯端末装置。
【請求項６】
前記第１筐体における裏面は、前記第２筐体に向かって膨らむように湾曲して形成され、
前記第２筐体における表面は、前記第１筐体に対して凹むように湾曲して形成され、
前記第１筐体における前記裏面の湾曲の形状と、前記第２筐体における前記表面の湾曲の形状とは同じである
請求項４または請求項５記載の携帯端末装置。
【請求項７】
前記第１筐体における裏面と、前記第２筐体における表面とは、それぞれ平面状に形成され、
前記第１筐体における裏面および前記第２筐体における表面は、前記筐体回転機構の傾きと同じ傾きを有する
請求項４または請求項５記載の携帯端末装置。
【請求項８】
前記第１筐体における裏面と、前記第２筐体における表面とは、それぞれ複数の平面で形成され、
前記第１筐体における複数の平面のうちの中央部に位置する面は前記第２筐体の縦断面に平行であり、
前記第１筐体における複数の平面のうちの前記筐体回転機構が配置される面は、前記筐体回転機構の傾きと同じ傾きを有し、
前記第２筐体における複数の平面のうちの中央部に位置する面は前記第２筐体の縦断面に平行であり、
前記第２筐体における複数の平面のうちの前記筐体回転機構が配置される面は、前記筐体回転機構の傾きと同じ傾きを有する
請求項４または請求項５記載の携帯端末装置。
【請求項９】
前記第２筐体における表面に、前記第２部材を支持する凹部が設けられ、
前記凹部の内部における前記第２部材を支える部位の表面が、前記第２筐体の縦断面に対して所定角度傾いて形成されている
請求項４から請求項８のうちのいずれか１項に記載の携帯端末装置。
【請求項１０】
前記第２部材における２つの端部のそれぞれに回転軸部材が設けられ、
前記第１部材における２つの端部のそれぞれに、前記回転軸部材に係合可能な鉤部が設けられ、
前記第１部材が第１位置に位置するときには、前記第１部材における一方の鉤部が前記第２部材における前記回転軸部材の一方に係合するとともに、前記第１部材における他方の鉤部は前記回転軸部材に係合せず、
前記第１部材が第２位置に位置するときには、前記第１部材における一方の鉤部が前記第２部材における前記回転軸部材の一方に係合するとともに、前記第１部材における他方の鉤部が前記第２部材における前記回転軸部材の他方に係合し、
前記第１部材が第３位置に位置するときには、前記第１部材における他方の鉤部が前記第２部材における前記回転軸部材の他方に係合するとともに、前記第１部材における一方の鉤部は前記回転軸部材に係合せず、
前記第１位置に位置しているときの前記第１部材と、前記第２位置に位置しているときの前記第１部材とがなす角度が９０゜になり、前記第１位置に位置しているときの前記第１部材と、前記第３位置に位置しているときの前記第１部材とがなす角度が１８０゜になるように、前記回転軸部材が配置されている
請求項４から請求項９のうちのいずれか１項に記載の携帯端末装置。
【発明の詳細な説明】
【技術分野】
【０００１】
本発明は、２つの筐体を備えた携帯端末装置において一の筐体に対して他の筐体を回転させることができる筐体連結機構、および筐体連結機構を備えた携帯端末装置に関する。
【背景技術】
【０００２】
表示部を有する表示部側筐体（以下、第１筐体またはＲ側筐体ともいう。）と操作部を有する操作部側筐体（以下、第２筐体またはＭ側筐体ともいう。）とを回転連結機構で連結し、Ｍ側筐体に対してＲ側筐体を回転させることができる携帯電話機がある（例えば、特許文献１参照）。そのような携帯電話機のユーザは、１セグメント放送（ワンセグ）を視聴するとき等にＲ側筐体を回転させる。具体的には、操作部が設けられている表面の形状が矩形であるＭ側筐体の長辺に対して、表示部が設けられている表面の形状が矩形であるＲ側筐体の長辺が９０゜の角度をなすように、Ｒ側筐体を回転させる。以下、Ｍ側筐体の長辺に対してＲ側筐体の長辺が９０゜の角度をなすような位置関係を、「９０゜回転した位置」のように表現する。また、Ｒ側筐体が回転を始める前の位置を、「初期位置」または「０゜の位置」のように表現する。Ｒ側筐体がＭ側筐体に対して初期位置にあるときには、Ｒ側筐体の裏面（表示部が設けられているいない面）が、Ｍ側筐体の表面を覆っている。
【０００３】
９０゜回転した位置から、Ｒ側筐体を、Ｍ側筐体に対してさらに９０゜回転させることが可能であるように構成された携帯電話機がある。Ｒ側筐体が、Ｍ側筐体に対してさらに９０゜回転した位置に設定された状態は、初期位置から１８０゜回転した位置に相当するので、以下、その状態を、「１８０゜回転した位置」のように表現する。一般に、ユーザは、通話を行うときに、Ｒ側筐体を「１８０゜回転した位置」に設定する。
【０００４】
表示部側筐体と操作部側筐体とを備え、ユーザが操作または通話を行うときに、表示部側筐体が操作部側筐体を塞いだ状態すなわち閉じられた状態から、表示部側筐体が開いた状態に設定される折り畳み型の携帯電話機がある（例えば、特許文献２参照）。特許文献２に記載されているように、折り畳み型の携帯電話機では、開かれた状態では、一般に、表示部側筐体の表面と操作部側筐体の表面とが平行にならないように、表示部側筐体の回転が規制される。表示部側筐体の表面と操作部側筐体の表面とが平行にまで達すると、ユーザが表示部の画面を見ながら操作を行う際に、却って、画面が見づらくなるからである。すなわち、表示部側筐体と操作部側筐体とがフラットになると、視認性が低下するからである。また、表示部側筐体と操作部側筐体とがフラットになると、表示部側筐体または操作部側筐体がユーザの顔から離れるので、通話がしづらくなるからである。
【０００５】
表示部側筐体が操作部側筐体に対して開閉するように構成された折り畳み型の携帯電話機では、開かれた状態において表示部側筐体と操作部側筐体とがフラットにならないようにすることは容易である。単に、表示部側筐体の回転を規制する構造にすればよいからである。
【先行技術文献】
【特許文献】
【０００６】
【特許文献１】特開平２００６−１９９２５号公報
【特許文献２】国際公開第２００３／４７２１８号パンフレット
【発明の概要】
【発明が解決しようとする課題】
【０００７】
表示部側筐体が操作部側筐体に対して９０゜回転した位置にまで回転可能であったり、さらに、１８０゜回転した位置にまで回転可能であるように構成された携帯電話機でも、９０゜回転した位置や１８０゜回転した位置にあるときに、表示部側筐体と操作部側筐体とがフラットにならないようにすることが好ましい。
【０００８】
以下、表示部側筐体が操作部側筐体に対して９０゜回転した位置にまで回転可能であったり、さらに、１８０゜回転した位置にまで回転可能であるように構成された携帯電話機を、「筐体がスライド回転する携帯電話機」と表現し、９０゜回転した位置または１８０゜回転した位置を、「回転後の位置」と表現する。また、２つの筐体の位置関係が、「初期位置（０゜の位置）」、「９０゜回転した位置」および「１８０゜回転した位置」にある状態を、３つのスタイルということがある。
【０００９】
上記のように、筐体がスライド回転する携帯電話機において、表示部側筐体が回転後の位置に設定されたときに、表示部側筐体と操作部側筐体とがフラットにならないようにすることが好ましいが、そのようにすることは、折り畳み型の携帯電話機に比べると、容易ではない。
【００１０】
筐体がスライド回転する携帯電話機において、「９０゜回転した位置」にある状態および「１８０゜回転した位置」にある状態で表示部側筐体と操作部側筐体とがフラットにならないようにするために、回転連結機構を傾けて携帯電話機に組み込むことが考えられる。
【００１１】
しかし、単に回転連結機構を傾けて携帯電話機に組み込んだだけでは、表示部側筐体と操作部側筐体とのクリアランス（隙間）を確保できなくなるおそれがある。すなわち、表示部側筐体を回転させるときに、表示部側筐体の一部が操作部側筐体に当り、表示部側筐体の回転が阻害されるおそれがある。また、回転連結機構を傾けて携帯電話機に組み込むと、実効的な回転連結機構の高さが高くなり、携帯電話機の厚さが増加してしまう。
【００１２】
そこで、本発明は、第２筐体に対して第１筐体を回転させ、回転後の状態において第１筐体と第２筐体とがフラットにならないようにする構造において、装置の厚さを増加させることなく、円滑に第１筐体を回転させることができる筐体連結機構、およびそのような筐体連結機構を備えた携帯端末装置を提供することを目的とする。
【課題を解決するための手段】
【００１３】
本発明による筐体回転機構は、第１筐体を回転可能に第２筐体に連結する筐体連結機構であって、接続部材によって第１筐体に固定される平板状の第１部材と、第２筐体に固定される平板状の第２部材とを含む筐体回転機構を備え、筐体回転機構は、第１筐体における第２筐体に対向する面である裏面の側であって、かつ、第２筐体における第１筐体に対向する面である表面の側に配置され、接続部材は、力を受けると、第２部材の裏面側で移動するように配置され、筐体回転機構は、第２筐体の縦断面に対して所定角度傾いて取り付けられていることを特徴とする。
【００１４】
本発明による携帯端末装置は、第１筐体と、第２筐体と、第１筐体を回転可能に第２筐体に連結する筐体連結機構とを備えた携帯端末装置であって、第１筐体における第２筐体に対向する面の反対側の面である表面に表示部が設けられ、筐体連結機構は、接続部材によって第１筐体に固定される平板状の第１部材と、第２筐体に固定される平板状の第２部材とを有する筐体回転機構を含み、筐体回転機構は、第１筐体における第２筐体に対向する面である裏面側であって、かつ、第２筐体における第１筐体に対向する面である表面側に配置され、接続部材は、力を受けると、第２部材の裏面側で移動するように配置され、筐体回転機構は、第２筐体の縦断面に対して所定角度傾いて取り付けられていることを特徴とする。
【発明の効果】
【００１５】
本発明によれば、第２筐体に対して第１筐体を回転させ、回転後の状態において第１筐体と第２筐体とがフラットにならないようにする構造において、装置の厚さを増加させることなく、円滑に第１筐体を回転させることができる。
【図面の簡単な説明】
【００１６】
【図１】携帯電話機を示す正面図である。
【図２】筐体回転機構の一例を示す斜視図である。
【図３】筐体回転機構を構成する各部品を示す分解斜視図である。
【図４】ベースプレートとスイングプレートとの位置関係を示す平面図である。
【図５】筐体連結機構を備えた携帯電話機を折り畳み型の携帯電話機ととも示す側面図である。
【図６】携帯電話機に対する筐体回転機構の取り付け方を説明するための分解斜視図である。
【図７】携帯電話機に対する筐体回転機構の取り付け方を説明するための側面図である。
【図８】筐体回転機構の取り付け方をより具体的に説明するための側面図である。
【図９】Ｍ側筐体における凹部の部位を拡大して示す拡大図である。
【図１０】携帯電話機における３つのスタイルにおけるＲ側筐体とＭ側筐体との位置関係を示す側面図である。
【図１１】Ｒ側筐体の表面がＭ側筐体の長軸に対して傾く理由を説明するための説明図である。
【図１２】携帯電話機に対する筐体回転機構の取り付け方の比較例を示す側面図である。
【図１３】比較例での携帯電話機における３つのスタイルにおけるＲ側筐体とＭ側筐体との位置関係を示す側面図である。
【図１４】第２の実施形態の携帯電話機における筐体回転機構の取り付け方を説明するための側面図である。
【図１５】第２の実施形態の携帯電話機における３つのスタイルにおけるＲ側筐体とＭ側筐体との位置関係を示す側面図である。
【図１６】第３の実施形態の携帯電話機における筐体回転機構の取り付け方を説明するための側面図である。
【図１７】第３の実施形態の携帯電話機における３つのスタイルにおけるＲ側筐体とＭ側筐体との位置関係を示す側面図である。
【発明を実施するための形態】
【００１７】
以下、本発明の実施形態を図面を参照して説明する。
【００１８】
図１は、本発明による筐体連結機構を備えた携帯端末装置の一例である携帯電話機を示す正面図である。本発明による携帯電話機１は、３つのスタイルを実現することが可能である。図１には、３つのスタイルが示されている。
【００１９】
図１に示すように、携帯電話機１は、表示部側筐体（第１筐体：Ｒ側筐体）１０と操作部側筐体（第２筐体：Ｍ側筐体）２０とを備えている。Ｒ側筐体１０とＭ側筐体２０とは、Ｒ側筐体１０がＭ側筐体２０に対して回転可能に、筐体連結機構で連結されている。Ｒ側筐体１０の表面には、ＬＣＤ等による表示部（図示せず）が設けられている。Ｍ側筐体２０の表面には、操作部（キーシート）２１が設けられている。
【００２０】
図１（Ａ）には、Ｒ側筐体１０が「初期位置」にある状態が示されている。図１（Ｂ）には、Ｒ側筐体１０が「９０゜回転した位置」にある状態が示されている。図１（Ｃ）には、Ｒ側筐体１０が「１８０゜回転した位置」にある状態が示されている。
【００２１】
なお、一般に、ユーザは、操作を行ったりワンセグの視聴を行うときにＲ側筐体１０を「９０゜回転した位置」に設定し、操作を行ったり通話を行うときにＲ側筐体１０を「１８０゜回転した位置」に設定する。
【００２２】
まず、本発明の前提になる筐体回転機構を説明する。図２は、筐体回転機構の一例を示す斜視図である。図２（Ａ）は、筐体回転機構の表面の斜視図であり、図２（Ｂ）は、筐体回転機構の裏面の斜視図である。
【００２３】
図３は、筐体回転機構を構成する各部品を示す分解斜視図である。図３（Ａ）は、筐体回転機構の表面の分解斜視図であり、図３（Ｂ）は、筐体回転機構の裏面の分解斜視図である。
【００２４】
図２および図３に示す筐体回転機構３０は、金属製の板状のベースプレート３２と金属製の板状のスイングプレート３１とを含む。スイングプレート３１に取付られているガイドスリーブ３６の貫通穴には、Ｒ側筐体１０に接続されたピン（図示せず）が嵌め込まれる。よって、Ｒ側筐体１０は、ピンおよびガイドスリーブ３６を介してスイングプレート３１に固定される。また、ベースプレート３２は、Ｍ側筐体２０に固着される。
【００２５】
ベースプレート３２の両端部には、ピン（スイングピン）３４，３５が設けられている。スイングピン３４は、図２（Ａ）に示す状態である「初期位置」から図２（Ａ）に示す矢印の方向にスイングプレート３１が回転するときに、回転の支点になる。また、スイングプレート３１の先端には、鉤部３１ａが設けられている。鉤部３１ａの凹部は、スイングプレート３１が矢印の方向に９０゜回転したときに、スイングピン３５に嵌り込む。従って、Ｒ側筐体１０が９０゜回転したときに、回転が停止される。換言すれば、スイングピン３５は、Ｒ側筐体１０が９０゜以上回転しないようにする規制部材としての役割も果たす。
【００２６】
図２（Ｂ）に示すように、ベースプレート３２を挟んで、スイングプレート３１の裏側には、ばね４１が、ガイドスリーブ３６の襟部を介してスイングプレート３１に取り付けられている。
【００２７】
図２および図３に示すように、ばね４１は、渦巻き状に形成されている。そして、ばね４１の一端が延伸され、延伸した線状部が、ガイドスリーブ３６に巻き付くようにして固定される。よって、ばね４１は、ガイドスリーブ３６を介してスイングプレート３１に抗力を与える。
【００２８】
また、ばね４１の他端が延伸され、延伸した線状部が、ばねワッシャ４２に巻き付くようにして固定される。ばねワッシャ４２は、ベースプレート３２に固定されている。よって、ばね４１が移動するときに、ばねワッシャ４２を支点にして移動を行う。
【００２９】
また、ベースプレート３２には、貫通部３３が設けられている。図２および図３に示すように、貫通部３３は、略Ｖ字型に形成されている。また、貫通部３３の幅は、ガイドスリーブ３６の径（直径）よりも小さい。
【００３０】
ばね４１は、図２（Ａ）に示す「初期位置」から矢印の方向（図２（Ａ）参照）にスイングプレート３１が回転するときに、スイングプレート３１に対して回転方向と反対方向の抗力を与える。抗力よりも大きい回転方向（図２（Ａ）に示す矢印方向）の力がスイングプレート３１に加わると、スイングプレート３１の回転に伴って、ガイドスリーブ３６が貫通部３３に沿って移動する。なお、スイングプレート３１に加わる回転方向の力は、Ｒ側筐体１０から与えられる。Ｒ側筐体１０には、Ｒ側筐体１０を回転させようとするユーザから力が与えられる。
【００３１】
図４は、ベースプレート３２とスイングプレート３１との位置関係を示す平面図である。図４（Ａ）は、「初期位置」におけるベースプレート３２とスイングプレート３１との位置関係を示す。図４（Ｂ）は、「９０゜回転した状態」におけるベースプレート３２とスイングプレート３１との位置関係を示す。図４（Ｃ）は、「１８０゜回転した状態」におけるベースプレート３２とスイングプレート３１との位置関係を示す。
【００３２】
図２（Ａ）および図４（Ａ）に示すように、「初期位置」では、ガイドスリーブ３６は、Ｖ字における＼の部分（領域３３ａ）の最上部に位置している。スイングピン３４を支点にして、矢印の方向（図２（Ａ）参照）にスイングプレート３１が回転するにつれて、ガイドスリーブ３６は、Ｖ字における＼の部分の下部に移動する。ガイドスリーブ３６が、Ｖ字における＼と／（領域３３ｃ）との合流部を通過すると、ばね４１の渦巻き部分は、貫通部３３におけるＶ字の下部３３ｂに向かって移動し、ガイドスリーブ３６は、領域３３ｃに入り込む。
【００３３】
貫通部３３は、ガイドスリーブ３６が下部３３ｂの最下部に当接したときに、鉤部３１ａの凹部がスイングピン３５に嵌り込むことになるように形成されている。
【００３４】
スイングプレート３１は、ガイドスリーブ３６の中心を通る軸に対して、ほぼ左右対称な形状に形成されている。よって、鉤部３１ａの反対側に、鉤部３１ａと同形状の鉤部３１ｂが設けられている。スイングプレート３１が９０゜回転した状態では、図４（Ｂ）に示すように、鉤部３１ａの凹部がスイングピン３５に嵌り込むとともに、鉤部３１ｂの凹部がスイングピン３４に嵌り込んでいる。なお、鉤部３１ａの凹部はスイングピン３５の周囲で回転可能であり、鉤部３１ｂの凹部はスイングピン３４の周囲で回転可能である。
【００３５】
鉤部３１ａの凹部がスイングピン３５に嵌り込むとともに、鉤部３１ｂの凹部がスイングピン３４に嵌り込んでいる状態、すなわち、スイングプレート３１が９０゜回転した状態（Ｒ側筐体１０が９０゜回転した状態でもある。）において、スイングプレート３１の短辺部３７に力が加わると、スイングプレート３１は、「初期位置」に戻ろうとするか、または、Ｒ側筐体１０が１８０゜回転した状態になるように移動する。
【００３６】
スイングプレート３１の短辺部３７において、スイングピン３５に近い方に力が加わると、スイングプレート３１は、「初期位置」に戻ろうとする。
【００３７】
スイングプレート３１の短辺部３７において、スイングピン３４に近い方に力が加わると、スイングプレート３１は、Ｒ側筐体１０が１８０゜回転した状態（、スイングプレート３１が１８０゜回転した状態でもある。）になるように移動する。すなわち、鉤部３１ｂがスイングピン３４から離れ、スイングプレート３１は、スイングピン３５を支点にして回転する。Ｒ側筐体１０が１８０゜回転した状態になるようにスイングプレート３１が回転しているときには、ばね４１の渦巻き部分およびガイドスリーブ３６は、貫通部３３のＶ字における／の部分（領域３３ｃ）の上部に向かって移動する。
【００３８】
スイングプレート３１が１８０゜回転した状態では、図４（Ｃ）に示すように、ガイドスリーブ３６がＶ字における／の部分の最上部に当接するとともに、ばね４１の渦巻き部分は、貫通部３３から外れた部分に位置する。なお、図２（Ａ）および図４（Ａ）に示す「初期位置」では、ガイドスリーブ３６がＶ字における＼の部分の最上部に当接するとともに、ばね４１の渦巻き部分は、貫通部３３から外れた部分に位置する。
【００３９】
スイングプレート３１が１８０゜回転した状態において、スイングプレート３１の長辺部３８に力が加わると、スイングプレート３１は、「９０゜回転した状態」に戻ろうとする。
【００４０】
以上のような筐体回転機構３０の仕組みによって、スイングプレート３１は、ベースプレート３２に対して、「初期位置（０゜の位置）」、「９０゜回転した位置」または「１８０゜回転した位置」になることができる。スイングプレート３１にはＲ側筐体１０が固着され、ベースプレート３２はＭ側筐体２０に固定されているので、Ｍ側筐体２０に対してＲ側筐体１０が「初期位置」、「９０゜回転した位置」または「１８０゜回転した位置」にある状態になることができる。すなわち、携帯電話機は、３つのスタイルのいずれかになることができる。
【００４１】
図５は、本発明による筐体連結機構を備えた携帯電話機を折り畳み型の携帯電話機ととも示す側面図である。図５（Ａ）に示すように、折り畳み型の携帯電話機では、開かれた状態では、表示部側筐体１１０の表面と操作部側筐体１２０の表面とが平行にならないように、表示部側筐体１１０の回転が規制される。
【００４２】
また、図５（Ｂ）に示すように、筐体がスライド回転する携帯電話機において、表示部側筐体２１０が回転した後の状態において、表示部側筐体２１０の表面と操作部側筐体２２０の表面とが平行になっている場合には、図５（Ａ）に示された折り畳み型の携帯電話機の場合に比べて、ユーザの表示部に対する視認性がよくない。
【００４３】
しかし、図５（Ｃ）に示すように、筐体がスライド回転する携帯電話機において、表示部側筐体１０が回転した後の状態において、Ｒ側筐体（表示部側筐体）１０の表面とＭ側筐体（操作部側筐体）２０の表面とが平行になっていない場合には、図５（Ａ）に示す場合と同様に、ユーザの表示部に対する視認性が低下しない。なお、Ｒ側筐体１０の表面とＭ側筐体２０の表面とが平行になっていない状態は、具体的には、Ｒ側筐体１０の上部が視認者（ユーザ）側に傾いている状態である。
【００４４】
実施形態１．
次に、図２および図３に示されたような携帯電話機における３つのスタイルを実現することが可能な筐体回転機構３０を用いた筐体連結機構を説明する。
【００４５】
図６は、携帯電話機に対する筐体回転機構３０の取り付け方を説明するための分解斜視図である。図６に示すように、携帯電話機において、筐体回転機構３０は、Ｒ側筐体１０とＭ側筐体２０との間に取り付けられる。具体的には、、筐体回転機構３０におけるスイングプレート３１がＲ側筐体１０に固定され、ベースプレート３２がＭ側筐体２０に固定される。
【００４６】
図７は、携帯電話機に対する筐体回転機構３０の取り付け方を説明するための側面図である。図７に示すように、筐体回転機構３０は、Ｍ側筐体２０に対して、所定角度傾けて携帯電話機に取り付けられる。本実施形態では、所定角度は、一例として、１．５゜である。
【００４７】
また、「所定角度（この例では、１．５゜）傾ける」とは、具体的には、ベースプレート３２およびスイングプレート３１の面を傾けることである。より具体的には、筐体回転機構３０における携帯電話機の下端（図７における下側）に近い側の端部３０ａと上端（図７における上側）に近い側の端部３０ｂとを結ぶ直線を、Ｍ側筐体２０の縦断面（側面図における長軸２０ａに対応）に対して、Ｒ側筐体１０の方に１．５゜傾けることである。
【００４８】
また、Ｒ側筐体１０の裏面（Ｍ側筐体２０に対向する面）には、Ｒが付けられている。すなわち、Ｒ側筐体１０における裏面の側面形状は、Ｒ側筐体１０の上端と下端とを結ぶ線分の中点において、その線分に直交する直線上にある点（Ｒ側筐体１０の表面側の遠方にある点）を中心にした円弧状である。よって、Ｒ側筐体１０の裏面は、Ｍ側筐体２０に対して膨らむように湾曲している。なお、円弧の中心が存在する点は、Ｒ側筐体１０の上端と下端とを結ぶ線分の中点からややずれた点を通過する直線上にあってもよい。
【００４９】
よって、中央部１０ａからＲ側筐体１０の上端（図７における上側）に向かう曲面と、中央部１０ａからＲ側筐体１０の下端（図７における下側）に向かう曲面とはほぼ同じである。すなわち、Ｒ側筐体１０における裏面は、図７に示す側面図において、中央部１０ａに対してほぼ左右対称である。
【００５０】
湾曲の程度は、Ｒ側筐体１０の裏面の上部および下部に比べて、Ｒ側筐体１０の裏面の中央部１０ａの近傍では小さくなる。つまり、中央部１０ａを含む領域では、上部および下部に比べて、図７の側面図におけるＲ側筐体１０の上下方向の位置の違い（距離差）に応じた左右方向の位置の違い（距離差）の程度が小さい。そして、例えば、仮にＲ側筐体１０の裏面において中央部１０ａを含む領域（中央領域）が平坦であるとみなすと、Ｒ側筐体１０の裏面の上部および下部は、Ｒ側筐体１０の裏面の中央領域に対して、それぞれ、１．５゜程度（例えば、正確に１．５゜）傾いている。
【００５１】
また、Ｍ側筐体２０における表面（Ｒ側筐体１０に対向する面）には、Ｒ側筐体１０に付けられたＲと同じＲが付けられている。すなわち、Ｒ側筐体１０に対して凹むように湾曲している。よって、Ｒ側筐体１０の裏面の形状（図７の側面図を見た場合に形状）とＭ側筐体２０の表面の形状（図７の側面図を見た場合に形状）とは同じである。
【００５２】
図８は、筐体回転機構３０の取り付け方をより具体的に説明するための側面図である。図８に示すように、Ｍ側筐体２０の上部（図８では、Ｍ側筐体２０の長手方向の上側）に、筐体回転機構３０におけるベースプレート３２が嵌り込む凹部２２が形成されている。
【００５３】
図９は、Ｍ側筐体２０における凹部２２の部位を拡大して示す拡大図である。図８および図９に示す例では、ベースプレート３２は、凹部２２の内部のリブの表面（図９において黒で示されている部分）で支えられる。以下、リブの表面（図９において黒色で示されている部分）を、支え部２３という。ただし、図９には、支え部の一部にのみ符号（２３）が付されている。
【００５４】
支え部２３は、Ｍ側筐体２０の長軸２０ａ（図７参照）に対して、１．５゜傾いている。具体的には、支え部２３が形成する平面（リブの表面である支え部２３を含む平面）を仮定し、かつ、支え部２３をＭ側筐体２０の側面から眺めた場合に、支え部２３が形成する平面が、図７に示す直線Ａ（長軸２０ａと平行）に対して１．５゜傾いた状態になる（図７に示す直線Ｂのようになる。）ように、支え部２３が形成されている。
【００５５】
なお、回転連結機構は、筐体回転機構３０と、Ｍ側筐体２０に形成されている凹部２２とで実現されている。
【００５６】
次に、図１０を参照して、携帯電話機における３つのスタイルにおけるＲ側筐体１０とＭ側筐体２０との位置関係を説明する。図１０（Ａ）は、「初期位置（０゜の位置）」におけるＲ側筐体１０とＭ側筐体２０との位置関係を示す。図１０（Ｂ）は、「９０゜回転した位置」におけるＲ側筐体１０とＭ側筐体２０との位置関係を示す。図１０（Ｃ）は、「１８０゜回転した位置」におけるＲ側筐体１０とＭ側筐体２０との位置関係を示す。
【００５７】
「初期位置」では、Ｒ側筐体１０の表面は、Ｍ側筐体２０の長軸２０ａに対して平行な状態になる。なお、筐体回転機構３０は、Ｍ側筐体２０の長軸２０ａに対して１．５゜傾いているので、その付近において、Ｒ側筐体１０の裏面は、Ｍ側筐体２０の長軸２０ａに対して傾いていることになる。すなわち、湾曲している。しかし、Ｒ側筐体１０の表面は、Ｍ側筐体２０の長軸２０ａに平行である。
【００５８】
また、Ｒ側筐体１０およびＭ側筐体２０の上部において、Ｒ側筐体１０とＭ側筐体２０とが接触しないようにクリアランスが確保されている。
【００５９】
「初期位置」から、Ｒ側筐体１０の下部が、図１０における紙面背面側に押され、９０゜回転すると、Ｒ側筐体１０が、図１０（Ｂ）に示す「９０゜回転した位置」に到達する。「９０゜回転した位置」では、Ｒ側筐体１０の表面は、Ｍ側筐体２０の長軸２０ａに対してほぼ１．５゜傾いている。
【００６０】
また、Ｒ側筐体１０の裏面とＲ側筐体１０の表面とに同じＲが付けられていることから、「９０゜回転した位置」でも、Ｒ側筐体１０およびＭ側筐体２０の上部において、Ｒ側筐体１０とＭ側筐体２０とが接触しないようにクリアランスが確保される。
【００６１】
「９０゜回転した位置」から、その位置におけるＲ側筐体１０の右側（紙面表面に近い側）に対して下向きの力が加わると、Ｒ側筐体１０が、図１０（Ｃ）に示す「１８０゜回転した位置」になる。「１８０゜回転した位置」では、Ｒ側筐体１０の表面は、Ｍ側筐体２０の長軸２０ａに対してほぼ３．０゜傾いている。
【００６２】
また、Ｒ側筐体１０の裏面とＲ側筐体１０の表面とに同じＲが付けられていることから、「１８０゜回転した位置」でも、Ｒ側筐体１０およびＭ側筐体２０の上部において、Ｒ側筐体１０とＭ側筐体２０とが接触しないようにクリアランスが確保される。
【００６３】
図１１は、Ｍ側筐体２０に対してＲ側筐体１０が回転すると、Ｒ側筐体１０の表面がＭ側筐体２０の長軸に対して傾く理由を説明するための説明図である。図１１には、Ｒ側筐体１０、Ｍ側筐体２０および筐体回転機構３０が模式的に示されている。図１１（Ａ）は、「初期位置（０゜の位置）」におけるＲ側筐体１０とＭ側筐体２０との位置関係を示す。図１１（Ｂ）は、「９０゜回転した位置」におけるＲ側筐体１０とＭ側筐体２０との位置関係を示す。図１１（Ｃ）は、「１８０゜回転した位置」におけるＲ側筐体１０とＭ側筐体２０との位置関係を示す。
【００６４】
また、図１１（Ａ），（Ｂ），（Ｃ）の左側には、Ｒ側筐体１０とＭ側筐体２０との位置関係を示す模式的な平面図が示され、図１１（Ａ），（Ｂ），（Ｃ）の右側には、Ｒ側筐体１０とＭ側筐体２０との位置関係を示す模式的な側面図が示されている。
【００６５】
図１１（Ａ），（Ｂ），（Ｃ）に示すように、筐体回転機構３０の平面は、Ｍ側筐体２０の長軸に対して１．５゜傾いている。筐体回転機構３０におけるベースプレート３２はＭ側筐体２０に固定されているので、Ｒ側筐体１０の回転軸は、常に、Ｍ側筐体２０の長軸に直交する直線に対して１．５゜傾いている。
【００６６】
図１１（Ａ）に示すように、「初期位置」では、Ｍ側筐体２０の長軸に対してＲ側筐体１０の表面は平行な状態になっている。よって、表示部１１の表示面は、Ｍ側筐体２０の長軸に対して傾いていない。
【００６７】
図１１（Ｂ）に示すように、「９０゜回転した位置」では、Ｒ側筐体１０の裏面の中央領域１２がＭ側筐体２０と対向する。上述したように、中央領域１２の湾曲の程度は、それ以外の領域に比べて小さい。すなわち、平坦に近い。すると、Ｍ側筐体２０の表面における筐体回転機構３０が取り付けられている部分と、Ｒ側筐体１０の裏面の中央領域１２と、Ｒ側筐体１０の表面とは、平行な状態に近い状態になる。Ｍ側筐体２０の表面における筐体回転機構３０が取り付けられている部分は、Ｍ側筐体２０の長軸に対してほぼ１．５゜傾いているので、Ｒ側筐体１０の表面も、１．５゜傾くことになる。
【００６８】
図１１（Ｃ）に示すように、「１８０゜回転した位置」では、Ｒ側筐体１０の裏面の領域１３がＭ側筐体２０と対向する。上述したように、領域１３は、Ｒ側筐体１０の表面に対して、ほぼ１．５゜傾いている。また、領域１３は、Ｍ側筐体２０の表面に対してほぼ平行になるので、Ｍ側筐体２０の長軸に対して既に、１．５゜傾いていることになる。よって、Ｒ側筐体１０の表面は、Ｍ側筐体２０の長軸に対してほぼ３．０゜傾く。
【００６９】
以上に説明したように、３つのスタイルを実現することが可能な携帯電話機において、操作や通話を行ったりワンセグの視聴を行うときに、表示部の表面を、Ｍ側筐体２０に対して傾けることができる。具体的には、筐体回転機構３０がＭ側筐体２０の長軸に対して１．５゜傾いている場合には、「９０゜回転した位置」では、表示部の表面は、ほぼ１．５゜傾く。また、「１８０゜回転した位置」では、Ｍ側筐体２０の長軸に対するＲ側筐体１０の裏面の領域１３の傾きが１．５゜である場合には、表示部の表面は、ほぼ３．０゜（「９０゜回転した位置」での傾きと、Ｒ側筐体１０の裏面の領域１３の傾きとの和）傾く。
【００７０】
また、Ｒ側筐体１０とＭ側筐体２０との外形形状を、３つのスタイルのいずれにおいてもＲ側筐体１０とＭ側筐体２０とが接触しないようにクリアランスを確保できる形状にしたので、表示部の表面をＭ側筐体２０に対して傾けるようにする際にＲ側筐体１０の回転が阻害されることはない。
【００７１】
本実施形態では、一般的な折りたたみ型携帯電話機と同様に、表示部を傾けることが可能になって、ユーザは画面を見やすい。また、Ｒ側筐体１０とＭ側筐体２０との向かい合う面をＲ形状にすることによって装置厚みの増加を防止することが可能になり、デザイン性および商品をが向上させることができる。
【００７２】
なお、第１の実施形態では、筐体回転機構３０を１．５゜傾けて携帯電話機に組み込む例について説明したが、「１．５゜」は一例であって、傾きの程度を１．５゜以外にしてもよい。
【００７３】
図１２は、携帯電話機に対する筐体回転機構３０の取り付け方の比較例を示す側面図である。図７に示された本実施形態の場合とは異なり、図１２に示す比較例では、Ｒ側筐体２１０における裏面およびＭ側筐体２２０の表面は、Ｍ側筐体２２０の長軸２０ａに平行であり、かつ、平坦である。そのようなＲ側筐体２１０とＭ側筐体２２０とを用い、筐体回転機構３０を、Ｍ側筐体２２０の長軸２０ａに対して所定角度（一例として、１．５゜）傾けて携帯電話機に取り付けることを想定する。
【００７４】
図１３は、図１２に示された比較例での携帯電話機における３つのスタイルにおけるＲ側筐体２１０とＭ側筐体２２０との位置関係を示す側面図である。図１３（Ａ）に示すように、Ｒ側筐体２１０およびＭ側筐体２２０の上部におけるクリアランスと、Ｒ側筐体２１０およびＭ側筐体２２０の下部におけるクリアランスとは同じである。
【００７５】
図１３（Ａ）に示すように、「初期位置」では、Ｒ側筐体１０の表面とＭ側筐体２０の裏面とは平行している。
【００７６】
「初期位置」から、Ｒ側筐体１０が９０゜回転すると、Ｒ側筐体１０は、図１３（Ｂ）に示す「９０゜回転した位置」に到達する。「９０゜回転した位置」では、Ｒ側筐体１０の表面は、Ｍ側筐体２０の長軸２０ａに対して１．５゜傾いている。その状態では、図１３（Ｂ）に示すように、上部においてクリアランスは確保されているが、下部において、クリアランスの余裕が小さくなる。
【００７７】
そして、図１３（Ｃ）に示すように、「１８０゜回転した位置」では、下部において、クリアランスの余裕がさらに小さくなる。図１３（Ｃ）には、クリアランスが確保されていない例が示されている。すなわち、実際にはＲ側筐体１０が「１８０゜回転した位置」に到達できない例が示されている。
【００７８】
「１８０゜回転した位置」においてもクリアランスを確保できるようにするには、筐体回転機構３０の高さを高くして（筐体回転機構３０を厚くして）、「初期位置」におけるクリアランス（隙間）を大きくしておく必要がある。その場合には、携帯電話機の厚みが大きくなってしまう。
【００７９】
実施形態２．
第１の実施形態では、Ｒ側筐体１０およびＭ側筐体２０の形状として、Ｒ側筐体１０の裏面とＭ側筐体２０の表面とに同じＲを付けた形状を採用することによって、すなわち、同程度に湾曲させた形状を採用することによって、「９０゜回転した位置」および「１８０゜回転した位置」におけるＲ側筐体１０とＭ側筐体２０との間のクリアランスを確保するようにしたが、Ｒ側筐体１０およびＭ側筐体２０の他の形状によって、クリアランスを確保するようにしてもよい。
【００８０】
図１４は、第２の実施形態の携帯電話機における筐体回転機構３０の取り付け方を説明するための側面図である。図１４に示すように、第１の実施形態の場合と同様に、筐体回転機構３０は、Ｍ側筐体２５に対して、所定角度傾けて携帯電話機に取り付けられる。本実施形態では、所定角度は、一例として、１．５゜である。
【００８１】
図１５を参照して、第２の実施形態の携帯電話機における３つのスタイルにおけるＲ側筐体１５とＭ側筐体２５との位置関係を説明する。図１５（Ａ）は、「初期位置（０゜の位置）」におけるＲ側筐体１５とＭ側筐体２５との位置関係を示す。図１５（Ｂ）は、「９０゜回転した位置」におけるＲ側筐体１５とＭ側筐体２５との位置関係を示す。図１５（Ｃ）は、「１８０゜回転した位置」におけるＲ側筐体１５とＭ側筐体２５との位置関係を示す。
【００８２】
図１２に示された比較例の場合とは異なり、図１４および図１５に示す第２の実施形態では、Ｒ側筐体１５における裏面およびＭ側筐体２５の表面は、それぞれ、平坦であるが、Ｍ側筐体２５の長軸２０ａに対して所定角度（一例として、１．５゜）傾いている。所定角度は、筐体回転機構３０が傾いている角度と同じである。
【００８３】
Ｍ側筐体２５は、下部に向かって幅（厚さ）が窄まるように形成されているので、Ｒ側筐体１５が「初期位置」から「９０゜回転した位置」にまで回転するときにも、「９０゜回転した位置」から「１８０゜回転した位置」にまで回転するときにも、Ｒ側筐体１５とＭ側筐体２５との間のクリアランスが確保される。すなわち、Ｒ側筐体１５の回転がＭ側筐体２５に阻害されて「１８０゜回転した位置」にまで到達できないということはない。
【００８４】
実施形態３．
図１６は、第３の実施形態の携帯電話機における筐体回転機構３０の取り付け方を説明するための側面図である。図１６に示すように、第１の実施形態および第２の実施形態の場合と同様に、筐体回転機構３０は、Ｍ側筐体２６に対して、所定角度傾けて携帯電話機に取り付けられる。本実施形態では、所定角度は、一例として、１．５゜である。
【００８５】
図１７を参照して、第３の実施形態の携帯電話機における３つのスタイルにおけるＲ側筐体１６とＭ側筐体２６との位置関係を説明する。図１７（Ａ）は、「初期位置（０゜の位置）」におけるＲ側筐体１６とＭ側筐体２６との位置関係を示す。図１７（Ｂ）は、「９０゜回転した位置」におけるＲ側筐体１６とＭ側筐体２６との位置関係を示す。図１７（Ｃ）は、「１８０゜回転した位置」におけるＲ側筐体１６とＭ側筐体２６との位置関係を示す。
【００８６】
第１の実施形態では、Ｒ側筐体１０およびＭ側筐体２０の形状として、Ｒ側筐体１０の裏面とＭ側筐体２０の表面とに同じＲを付けた形状を採用したが、第３の実施形態では、Ｒ側筐体１６における裏面およびＭ側筐体２６の表面は、それぞれ、３つの平面（側面図では、３つの直線Ｘ，Ｙ，Ｚで表される。）で構成されている。上部の平面（筐体回転機構３０の取り付け部を含む平面）は、Ｒ側筐体１６の中央部に向かうにつれてＲ側筐体１６の幅（厚さ）が大きくなるようにする平面である。具体的には、Ｍ側筐体２６の長軸２０ａに対して所定角度（一例として、１．５゜）傾いている。所定角度は、筐体回転機構３０が傾いている角度と同じである。中央部の平面は、Ｍ側筐体２６の長軸２０ａに対して平行な平面である。下部の平面（筐体回転機構３０の取り付け部から最も遠い平面）は、Ｒ側筐体１６の下部に向かうにつれてＲ側筐体１６の幅（厚さ）が小さくなるようにする平面である。
【００８７】
そして、Ｍ側筐体２６の表面は、いずれの地点でも、Ｒ側筐体１６の裏面との間の距離が同じになるように形成される。つまり、３つの平面（側面図では、３つの直線Ｘ，Ｙ，Ｚで表される。）で構成されている。具体的には、上部の平面（筐体回転機構３０の取り付け部を含む平面）は、Ｍ側筐体２６の長軸２０ａに対して所定角度（一例として、１．５゜）傾いている。所定角度は、筐体回転機構３０が傾いている角度と同じである。
【００８８】
第１の実施形態および第２の実施形態の場合と同様に、Ｍ側筐体２６における直線Ｘに対応する平面を含む部分では、下部（具体的には、中央部）に向かって幅（厚さ）が窄まるように形成されている。よって、第１の実施形態および第２の実施形態の場合と同様に、Ｒ側筐体１６が「初期位置」から「９０゜回転した位置」にまで回転するときにも、「９０゜回転した位置」から「１８０゜回転した位置」にまで回転するときにも、Ｒ側筐体１６とＭ側筐体２６との間のクリアランスが確保される。すなわち、Ｒ側筐体１６の回転がＭ側筐体２６に阻害されて「１８０゜回転した位置」にまで到達できないということはない。
【００８９】
なお、本実施形態では、Ｒ側筐体１６とＭ側筐体２６との向かい合う面を３つの平面で構成したが、より多くの平面で構成するようにしてもよい。
【００９０】
また、第１〜第３の実施形態では、携帯端末装置として携帯電話機を例にしたが、携帯電話機以外の複数の筐体を含む端末装置であって１つの筐体が他の筐体に対して回転可能に構成されている端末装置に対して本発明を適用することができる。
【００９１】
また、上記の各実施形態では、以下のような筐体連結機構および携帯端末装置が開示されている。
【００９２】
（１）接続部材（例えば、ガイドスリーブ３６）によって第１筐体（例えば、Ｒ側筐体１０）に固定される平板状の第１部材（例えば、スイングプレート３１）と、第２筐体（例えば、Ｍ側筐体２０）に固定される平板状の第２部材（例えば、ベースプレート３２）とを含む筐体回転機構を備え、筐体回転機構が、第１筐体における第２筐体に対向する面である裏面の側であって、かつ、第２筐体における第１筐体に対向する面である表面の側に配置され、接続部材は、力を受けると、第２部材の裏面側で移動するように配置され、筐体回転機構は、第２筐体の縦断面に対して所定角度傾いて取り付けられている筐体連結機構。筐体回転機構は、上端（例えば、図７に示す端部３０ｂ）が第１筐体の側に倒れ込むように取り付けられている。
【００９３】
（２）第２部材を支持するために第２筐体における表面に設けられた凹部（例えば、図８に示す凹部２２）を含み、凹部の内部における第２部材を支える部位の表面（例えば、支え部２３）が、第２筐体の縦断面に対して所定角度傾いて形成されている筐体連結機構。
【００９４】
（３）第２部材における２つの端部のそれぞれに回転軸部材（例えば、スイングピン３４，３５）が設けられ、第１部材における２つの端部のそれぞれに、回転軸部材に係合可能な鉤部（例えば、鉤部３１ａ，３１ｂ）が設けられ、第１部材が第１位置（例えば、「初期位置」）に位置するときには、第１部材における一方の鉤部（例えば、鉤部３１ａ）が第２部材における回転軸部材の一方（例えば、スイングピン３４）に係合するとともに、第１部材における他方の鉤部は回転軸部材に係合せず、第１部材が第２位置（例えば、「９０゜回転した位置」）に位置するときには、第１部材における一方の鉤部が第２部材における回転軸部材の一方に係合するとともに、第１部材における他方の鉤部（例えば、鉤部３１ｂ）が第２部材における回転軸部材の他方（例えば、スイングピン３５）に係合し、第１部材が第３位置（例えば、「１８０゜回転した位置」）に位置するときには、第１部材における他方の鉤部が第２部材における回転軸部材の他方に係合するとともに、第１部材における一方の鉤部は回転軸部材に係合せず、第１位置に位置しているときの第１部材と、第２位置に位置しているときの第１部材とがなす角度が９０゜になり、第１位置に位置しているときの第１部材と、第３位置に位置しているときの第１部材とがなす角度が１８０゜になるように、回転軸部材が配置されている筐体連結機構。
【００９５】
（４）第１筐体における裏面が、第２筐体に向かって膨らむように湾曲して形成され、第２筐体における表面が、第１筐体に対して凹むように湾曲して形成され（図７参照）、第１筐体における裏面の湾曲の形状と、第２筐体における表面の湾曲の形状とが同じである携帯端末装置。
【００９６】
（５）第１筐体における裏面と、第２筐体における表面とは、それぞれ平面状に形成され、第１筐体における裏面および第２筐体における表面が、筐体回転機構の傾きと同じ傾きを有する（図１４参照）ように形成された携帯端末装置。なお、「平面」には、完全に平坦な面の他、製造上許容される凹凸を有する面や、携帯端末装置に所定の機能を付与する際に生ずる凹凸（例えば、ねじ止め部において生ずる凹凸やデザインの観点から付与された凹凸）を含む面も含まれる。
【００９７】
（６）第１筐体における裏面と、第２筐体における表面とは、それぞれ複数の平面で形成され、第１筐体における複数の平面のうちの中央部（例えば、図１６に示す直線Ｙに対応する平面）に位置する面は第２筐体の縦断面に平行であり、第１筐体における複数の平面のうちの筐体回転機構が配置される面（例えば、図１６に示す直線Ｘに対応する平面）は、筐体回転機構の傾きと同じ傾きを有し、第２筐体における複数の平面のうちの中央部に位置する面（例えば、図１６に示す直線Ｙに対応する平面）は第２筐体の縦断面に平行であり、第２筐体における複数の平面のうちの筐体回転機構が配置される面（例えば、図１６に示す直線Ｘに対応する平面）は、筐体回転機構の傾きと同じ傾きを有するように形成されている携帯端末装置。
【符号の説明】
【００９８】
１      携帯電話機
１０，１５，１６  Ｒ側筐体（第１筐体：表示部側筐体）
１１    表示部
１２    中央領域
１３    領域
２０，２５，２６  Ｍ側筐体（第２筐体：操作部側筐体）
２０ａ  長軸
２１    操作部
２２    凹部
２３    支え部
３０    筐体回転機構
３１    スイングプレート
３１ａ，３１ｂ  鉤部
３２    ベースプレート
３３    貫通部
３４，３５  スイングピン
３６    ガイドスリーブ
３７    短辺部
３８    長辺部
４１    ばね
４２    ばねワッシャ
１１０  表示部側筐体
１２０  操作部側筐体
２１０  表示部側筐体（Ｒ側筐体）
２２０  操作部側筐体（Ｍ側筐体）
【図１】
2010216622.tif 000003
【図２】
2010216622.tif 000004
【図３】
2010216622.tif 000005
【図４】
2010216622.tif 000006
【図５】
2010216622.tif 000007
【図６】
2010216622.tif 000008
【図７】
2010216622.tif 000009
【図８】
2010216622.tif 000010
【図９】
2010216622.tif 000011
【図１０】
2010216622.tif 000012
【図１１】
2010216622.tif 000013
【図１２】
2010216622.tif 000014
【図１３】
2010216622.tif 000015
【図１４】
2010216622.tif 000016
【図１５】
2010216622.tif 000017
【図１６】
2010216622.tif 000018
【図１７】
2010216622.tif 000019